(57)【特許請求の範囲】
【請求項１】
住宅設備機器の各種データを収集すべく前記住宅設備機器に設けた無線子機から無線回線を介してセンター側装置に接続する無線機親機において、前記住宅設備機器からの通報データを受信する送受信手段と、前記センター側装置へダイヤリングを行う回線接続手段と、前記センター側装置と接続できたかどうかを判定するセンタ無応答判定手段とを備え、前記センタ無応答判定により前記センター側装置との接続ができないと判定されたとき、前記無線機子機において通報動作が行えないようにする切断信号を前記無線機子機へ出力すると共に前記無線機子機からの通報データを受信しない状態に移行し、前記センタ無応答判定手段により前記センター側装置との接続が再び可能になったと判定されたとき、前記無線機子機において通報動作とその通報の接続完了信号の受信動作が行えるようにする復旧信号を前記無線機子機へ出力すると共に前記無線機子機からの通報データを受信する状態に移行する無線機親機。
【請求項２】
センタ無応答判定手段は、通信回線との接続の有無を判定する請求項１記載の無線機親機。
【発明の詳細な説明】
【０００１】
【発明の属する技術分野】
本発明は、住宅設備機器の各種データを無線及び回線を通じてセンター側と通信を行う無線データ収集システムの無線機親機に関するもので、特に無線機親機と無線機子機の消費電流削減に関するものである。
【０００２】
【従来の技術】
従来のこの種の無線データ収集システムは図５に示すものが一般的であった。図５において、２１は各家庭にあるガスメータである。２２はガスメータ２１に取り付け（もしくは内蔵）されている無線機子機である。２５は公衆回線等との通信を行うと共に無線機子機２２と無線通信を行う無線機親機である。２６は無線機親機２５または無線機子機２２の無線データを送受信する送受信手段である。２７は電話回線等の回線である。２８は回線２７を通じて無線機親機２５と通信を行いガスメータ２１の各種データの収集を行うセンター側装置である。
【０００３】
図５において、無線機子機２２の送受信手段２６はガスメータ２１等の住宅設備機器からの通報データを受信するとセンター側装置２８に接続するための接続番号を無線機親機２５へ送る。無線機親機２５の送受信手段２６は無線機子機２２からのデータである接続番号を受信すると回線接続手段２４が無線機子機２２からの接続番号でセンター側装置２８へダイヤリングを行う。センター側装置２８はダイヤリングで正常に接続されると接続完了信号を無線機親機２５を介し無線機子機２２へ送る。無線機子機２２は接続完了信号を受信するとセンター側装置２８へ初めてガスメータ２１等の住宅設備機器からの通報データを送りセンター側装置２８が各種データを収集することになる。
【０００４】
【発明が解決しようとする課題】
しかしながら上記従来の無線データ収集システムでは、無線機子機２２の送受信手段２６はガスメータ２１等の住宅設備機器からの通報データを受信するとセンター側装置２８に接続するための接続番号を無線機親機２５へ送る。無線機親機２５の送受信手段２６は無線機子機２２からのデータである接続番号を受信すると回線接続手段２４が無線機子機２２からの接続番号でセンター側装置２８へダイヤリングを行う。しかし、回線状態や無線機親機２５が回線に接続されていなかったりセンター側装置２８が停電中やシステムダウン等の場合無線機子機２２は、接続完了信号を所定期間の間ずっと待ち続ける。また、所定期間の間待った後接続完了信号が受信できない場合は再度所定回数正常に接続完了信号を受信するまで無線機子機２２が無線機親機２５を介してセンター側装置へガスメータ２１からの通報データを送ろうとする。従ってセンターが接続できない状況にも関わらず無線送受信を繰り返すため余分な消費電流を消費することになる。従来の無線データ収集システムには以上のような課題があった。
【０００５】
【課題を解決するための手段】
本発明は上記課題を解決するため、無線機親機に、センター側装置からの接続完了信号の有無を判定するセンタ無応答判定手段を設けることにより、無線機子機から無線機親機を介してガスメータの通報データをセンター側装置へ送る場合、センター側装置からの接続完了信号が無い場合は、無線機親機が無線機子機へ切断信号を送り無線機子機の受信待ち状態を早く待機状態に戻すことを可能としたものである。
【０００６】
上記発明によれば、回線状況及びセンター側装置が受信状態に無い場合、無線機子機が無線機親機からの切断信号により待機状態にすぐ戻れるため余分な消費電流を消費する必要が無くなる。
【０００７】
【発明の実施の形態】
本発明の請求項１にかかる無線機親機は、住宅設備機器の各種データを収集すべく前記住宅設備機器に設けた無線子機から無線回線を介してセンター側装置に接続する無線機親機において、前記住宅設備機器からの通報データを受信する送受信手段と、前記センター側装置へダイヤリングを行う回線接続手段と、前記センター側装置と接続できたかどうかを判定するセンタ無応答判定手段とを備え、前記センタ無応答判定により前記センター側装置との接続ができないと判定されたとき、前記無線機子機において通報動作が行えないようにする切断信号を前記無線機子機へ出力すると共に前記無線機子機からの通報データを受信しない状態に移行し、前記センタ無応答判定手段により前記センター側装置との接続が再び可能になったと判定されたとき、前記無線機子機において通報動作とその通報の接続完了信号の受信動作が行えるようにする復旧信号を前記無線機子機へ出力すると共に前記無線機子機からの通報データを受信する状態に移行するものである。
【０００８】
そして、無線機親機のセンタ無応答判定手段によってセンター側装置の状態をいち早く検出して無線機子機に対して切断信号を送るため、無線機子機がセンター側装置の状態に関わらず所定期間受信状態のままとなることを防ぐため無線機子機の消費電流を削減することができる。
【０００９】
また、本発明の請求項２にかかる無線機親機は、センタ無応答判定手段は、通信回線との接続の有無を判定するようにしたものである。
【００１０】
そして、無線機親機の回線状態判定手段によって回線の接続状態をいち早く検出して無線機子機に対して切断信号を送るため、無線機子機が通信回線の接続の有無に関わらず所定期間受信状態のままとなることを防ぐため無線機子機の消費電流を削減することができる。
【００１６】
【実施例】
以下、本発明の実施例について図面を用いて説明する。
【００１７】
（実施例１）
図１は本発明の実施例１の無線データ収集システムを示すブロック図である。図１において、１は各家庭にあるガスメータである。２はガスメータ１に取り付け（もしくは内蔵）されている無線機子機である。６は公衆回線等との通信を行うと共に無線機子機２と無線通信を行う無線機親機である。
【００１８】
無線機子機２において、５ａは無線機親機６と無線の送受信を行うための送受信手段である。
【００１９】
無線機親機６において、７は無線機子機２からの通報要求に対してセンター側装置１０が正常に接続できたか否かを判定し異常だった場合は無線機子機２を早く待機状態に戻すための切断信号を出力するセンター無応答判定手段である。具体的な判定方法については以下に示す。無線機親機６に内蔵された５ｂは無線機子機２との無線による送受信を行う送受信手段である。９は電話回線等の回線である。１０は回線９を通じて無線機親機６と通信を行いガスメータ１の各種データの収集を行うセンター側装置である。
【００２０】
図１において、無線機子機２はガスメータ１等の住宅設備機器である例えばガスの使い過ぎやガスを遮断した等の通報データを受信すると、センター側装置１０へ通報するためまずセンター側装置１０へ接続するため予め無線機子機２に登録された接続番号、例えば電話番号やインターネットアドレス等を無線機親機６へ無線機子機２に内蔵されている送受信手段５ａにより無線データに変換して送信する。なお、住宅設備機器は給湯器、ビルトインＩＨ、食器洗い乾燥機、白物家電等であってもよい。
【００２１】
次に無線機親機６は無線機子機２からのデータである接続番号を無線機親機６に内蔵した送受信手段５ｂで受信する。無線機子機２からの接続番号を受信した無線機親機６はセンター側装置１０へ回線９を介して接続するために回線接続手段４によりダイヤリングを行う。ここでの回線９は有線電話回線やＰＨＳやＰＤＣ、ＰＤＣＰ等の無線電話回線でもよいし、システム占有の専用回線でもよい。次にセンター側装置１０が接続すると接続完了信号を無線機親機６に送信する。無線機親機６は接続完了信号を無線機子機２に転送する。
【００２２】
接続完了信号を受信した無線機子機２はセンター側装置と接続したと言うことで初めてガスメータ１等の住宅設備機器（例えばガス給湯器や警報機等の設備機器でも良いが）例えばガスメータ１のガスの使いすぎによる遮断信号を無線機親機６を介してセンター側装置１０へ送りセンター側装置１０でデータを収集する。その後センター側装置１０が終了信号を無線機子機２に送る。無線機子機２はセンター側装置１０からの終了信号を受け取った後待機状態（消費電流の少ない状態）に戻る。
【００２３】
ここで、実際前述のセンター側装置１０がシステムダウンや停電等により無線子機２からの通報データを受けられない状態に有る場合でも無線機子機２が接続番号を無線機親機６宛に送信した後所定期間の間、例えば１５０秒という長い間無線機子機２は接続完了信号を待ち続ける。また、この受信待ちの状態は常に無線器親機６からの接続完了信号の有無を確認しているため数１０ｍＡの電流を消費している。更にこの無線機子機２はガスメータ１等の屋外でかつＡＣ電源のとれない場合が多いため電池で構成されることが多く、ガスメータ１と同様に１０年保証を前提に設計されるため出来るだけ消費電流を押さえる必要がある。
【００２４】
しかし、正常に通信できる場合は、無線機子機２から接続番号を送信した後センター側装置１０との送受信を行った後約６０秒くらいで待機状態に戻るが、センター側装置１０の異常等で正常に通信が終了しない場合は９０秒程余計に電流を消費することになる。
【００２５】
従って、無線機親機６に内蔵された回線接続手段４が無線機子機２から受信した接続番号によりセンター側装置１０にダイヤリングを行う。またそれと同時にセンタ無応答判定手段によりセンター側装置１０から所定期間（例えば３０秒）の間に接続完了信号が無ければ、正常に接続できず異常と判定して無線機子機２に対して切断信号を出力する。無線機子機２が切断信号を受信すると無線送受信動作を行わない消費電流の少ない状態である待機状態に戻るようにすることにより無線機子機２の消費電流を削減することが可能になる。
【００２６】
以上のようにセンター側装置１０の異常の場合でも無線機子機２がガスメータ１の通報データを無線機親機６を介して送ろうとした時無線機親機６がダイヤリング後接続完了信号が無ければ無線機子機２に対して切断信号を送り、切断信号を受信した無線機子機２は直ぐに待機状態に戻るため余計な消費電流の削減を図ることが出来る。
【００２７】
（実施例２）
図２は本発明の実施例２の無線データ収集システムを示すブロック図である。図２において、図１と同じ機能を有するものは同じ名称、同じ符号として説明を省略する。
【００２８】
８は無線機親機６と回線９が接続されているか否かを判断する回線状態判定手段である。
【００２９】
図２において、ガスメータ１からの通報データをセンター側装置１０に正常に通報するシーケンスは実施例１の場合と同様である。ここで、無線機親機６と回線９が接続されていない場合でも無線機子機２が接続番号を無線機親機６宛に送信した後所定期間の間例えば１５０秒という長い間無線機子機２は接続完了信号を待ち続ける。また、この受信待ちの状態は常に無線器親機６からの接続完了信号の有無を確認しているため数１０ｍＡの電流を消費している。更にこの無線機子機２はガスメータ１等の屋外でかつＡＣ電源のとれない場合が多いため電池で構成されることが多く、ガスメータ１と同様に１０年保証を前提に設計されるため出来るだけ消費電流を押さえる必要がある。
【００３０】
しかし、正常に通信できる場合は、無線機子機２から接続番号を送信した後センター側装置１０との送受信を行った後約６０秒くらいで待機状態に戻るが、無線機親機６と回線が接続されておらず通信が正常に終了しない場合は９０秒程余計に電流を消費することになる。
【００３１】
従って、無線機親機６に内蔵された回線状態判定手段８が無線機子機２から接続番号を受信した場合でも、回線電圧が所定のレベル以上無い場合回線と未接続であると判断し直ぐに無線機子機２に対して切断信号を出力する。無線機子機２が切断信号を受信すると待機状態に戻るようにすることにより無線機子機２の消費電流を削減することが可能になる。
【００３２】
以上のように無線機親機６が回線９に接続されていない場合でも無線機子機２がガスメータ１の通報データを無線機親機６を介して送ろうとした時無線機親機６が回線に接続されていないと判断すると無線機子機２に対して切断信号を送り、切断信号を受信した無線機子機２は直ぐに待機状態に戻るため余計な消費電流の削減を図ることが出来る。
【００３３】
（実施例３）
図３は本発明の実施例３の無線データ収集システムを示すブロック図である。図３において、図１と同じ機能を有するものは同じ名称、同じ符号として説明を省略する。
【００３４】
３は無線機親機６が回線９との回線接続情報である回線との接続の有無を回線状態判定手段８により判定し回線が未接続になった場合の切断信号、回線が接続状態に戻った場合の復旧信号を無線機子機２へ送り、無線機子機２がその切断信号を受信してから、回線が接続状態に戻った後の復旧信号を受信するまでガスメータ１等からの通報データを送信しないようようにする発呼制御部である。
【００３５】
図３において、ガスメータ１からの通報データをセンター側装置１０に正常に通報するシーケンスは実施例１の場合と同様である。ここで、無線機親機６と回線９が接続されていない場合でも無線機子機２が接続番号を無線機親機６宛に送信した後所定期間の間例えば１５０秒という長い間無線機子機２は接続完了信号を待ち続ける。また、この受信待ちの状態は常に無線器親機６からの接続完了信号の有無を確認しているため数１０ｍＡの電流を消費している。更にこの無線機子機２はガスメータ１等の通報データが正常にセンター側装置１０に上げられなかった為所定期間後所定回数（例えば１９０秒間隔で２４回）センター側装置１０に通報を送信し続ける。
【００３６】
また、無線機子機２は屋外でかつＡＣ電源のとれない場合が多いため電池で構成されることが多く、ガスメータ１と同様に１０年保証を前提に設計されるため出来るだけ消費電流を押さえる必要がある。
【００３７】
しかし、正常に通信できる場合は、無線機子機２から接続番号を送信した後センター側装置１０との送受信を行った後約６０秒くらいで待機状態に戻るが、無線機親機６と回線が接続されておらず通信が正常に終了しない場合は９０秒程余計に電流を消費することになる。更に正常にマイコンメータ１等の通報データがセンター側装置１０へ通報できなかったため正常に通報できるまで所定回数前述と同様の処理を繰り返す。
【００３８】
従って、無線機親機６に内蔵された回線状態判定手段８が回線電圧が所定のレベル以上無い場合回線と未接続であると判断した場合無線機子機２に対して回線接続情報である切断信号を出力し、その後回線が接続状態になったら復旧信号を送る。無線機子機２は無線機親機６からの切断信号受信から復旧信号を受信するまではマイコンメータ１等の通報データがあってもセンター側装置１０に通報動作を行わない構成とする。
【００３９】
以上のように無線機親機６が回線９に接続されていない場合は、無線機子機２がガスメータ１からの通報データがあってもセンター側装置１０への通報動作を行わないため、余計な消費電流の削減を図ることが出来る。
【００４０】
（実施例４）
図４は本発明の実施例４の無線データ収集システムを示すブロック図である。
【００４１】
図４において、図１と同じ機能を有するものは同じ名称、同じ符号として説明を省略する。
【００４２】
１１は無線機親機６が回線９と接続されてい無い場合切断信号を送った後回線が接続状態に戻った後の復旧信号を送信するまで無線機子機２からの無線の受信処理の有無を制御する。すなわち、無線機子機２からの通報データを受信しないようようにする受信動作中止手段である。
【００４３】
図４において、ガスメータ１からの通報データをセンター側装置１０に正常に通報するシーケンスは実施例１の場合と同様である。ここで、無線機親機６と回線９が接続されていない場合でも無線機子機２が接続番号を無線機親機６宛に送信した後所定期間の間例えば１５０秒という長い間無線機子機２は接続完了信号を待ち続ける。また、この受信待ちの状態は常に無線器親機６からの接続完了信号の有無を確認しているため数１０ｍＡの電流を消費している。更にこの無線機子機２はガスメータ１等の通報データが正常にセンター側装置１０に上げられなかった為所定期間後所定回数（例えば１９０秒間隔で２４回）センター側装置１０に通報を送信し続ける。
【００４４】
また、無線機子機２は屋外でかつＡＣ電源のとれない場合が多いため電池で構成されることが多く、ガスメータ１と同様に１０年保証を前提に設計されるため出来るだけ消費電流を押さえる必要がある。
【００４５】
しかし、正常に通信できる場合は、無線機子機２から接続番号を送信した後センター側装置１０との送受信を行った後約６０秒くらいで待機状態に戻るが、無線機親機６と回線が接続されておらず通信が正常に終了しない場合は９０秒程余計に電流を消費することになる。更に正常にマイコンメータ１等の通報データがセンター側装置１０へ通報できなかったため正常に通報できるまで所定回数前述と同様の処理を繰り返す。
【００４６】
従って、無線機親機６に内蔵された回線状態判定手段８が回線電圧が所定のレベル以上無い場合回線と未接続であると判断した場合無線機子機２に対して切断信号を出力し、その後回線が接続状態になったら復旧信号を送ると共に切断信号を送ってから復旧信号を送るまでの間受信動作中止手段１１により電流を消費する受信状態には移行しないようにすることで無線機子機２からの通報データを受信しないようようにする。また、無線機子機２は無線機親機６からの切断信号受信から復旧信号を受信するまではマイコンメータ１等の通報データがあってもセンター側装置１０に通報動作を行わない構成とする。
【００４７】
以上のように無線機親機６が回線９に接続されていない場合は、無線機親機６は受信状態には移行せず、更に無線機子機２もガスメータ１からの通報データがあってもセンター側装置１０への通報動作を行わないため無線機親機６及び無線機子機２両方とも余計な消費電流の削減を図ることが出来る。
【００４８】
【発明の効果】
以上説明したように本発明によれば、センターが異常であったり上流回線に接続されていない場合でも無駄な送受信処理を行わないため余計な消費電流を削減しセンタが復旧した場合は直ちにセンターに通報するため長期的な高信頼性なシステムを実現することが出来る。
【図面の簡単な説明】
【図１】本発明の実施例１における無線データ収集システムのブロック図
【図２】本発明の実施例２における無線データ収集システムのブロック図
【図３】本発明の実施例３における無線データ収集システムのブロック図
【図４】本発明の実施例４における無線データ収集システムのブロック図
【図５】従来の無線データ収集装置のブロック図
【符号の説明】
１、２１  ガスメータ
２、２２  無線機子機
３  発呼制御部
４、２４  回線接続手段
５、２６  送受信手段
６、２５  無線機親機
７  センタ無応答判定手段
８  回線状態判定手段
９、２７  電話回線等の回線
１０、２８  センター側装置
１１  受信動作中止手段
【図１】
0003975756.tif 000002
【図２】
0003975756.tif 000003
【図３】
0003975756.tif 000004
【図４】
0003975756.tif 000005
【図５】
0003975756.tif 000006